(57)【特許請求の範囲】
【請求項１】
ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に通孔を設けたフロート受けを配し、フロート受け内にフロートを自由状態で配し、フロート受けの位置を上下に調節する位置調節部材を設け、流入口側の圧力が高圧の場合にはフロート受けの位置を下方に調節し、流入口側の圧力が低圧の場合にはフロート受けの位置を上方に調節することを特徴とする排気弁。
【発明の詳細な説明】
【０００１】
【発明の属する技術分野】
本発明は、配管に水を送り込むときに開弁して配管内の空気を排気し、排気が終われば閉弁し、また配管系の圧力が低下して真空状態となったときに開弁して外部空気を導入することにより真空状態を破壊する排気弁に関する。
【０００２】
【従来の技術】
従来の排気弁として、実公昭５３−１６２２号公報に示されたものがある。これは、ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に小さな開口面積を有する通孔を設けたフロート受けを固定し、フロート受け内にフロートを自由状態で配したものである。
【０００３】
上記従来の排気弁は、先ず配管に水を送り込むときにはフロートが弁座から離座して降下した開弁状態であり、流入口から弁室内に流入してくる配管内の空気をリブの間の空間からフロート受け上端を通して及び通孔からフロート受け内を通して流出口に排気する。そして排気が終わって配管内の水が流入口から弁室内に流入してくると、リブの間の空間からフロート受け上端を通して及び通孔を通してフロート受け内に流入する水によってフロートが浮上して弁座に着座し閉弁する。また配管系の圧力が低下して真空状態となったときにはフロートが弁座から離座して降下し、流出口から弁室内に流入してくる外部空気をフロート受け内から通孔を通して及びフロート受け上端からリブの間の空間を通して流入口から配管内に導入することにより真空状態を破壊する。
【０００４】
【発明が解決しようとする課題】
上記従来の排気弁は、流入口側の圧力が高圧であると、未だ排気を完了していないにもかかわらずフロートが弁座に着座閉弁してしまう問題点があった。これは、流入口側の圧力が高圧であると、空気がフロートと弁座の間を高速に通過するためにフロートと弁座の間の静圧低下が大きくなり、未だ排気を完了していないにもかかわらずフロートが弁座に吸い寄せられて着座閉弁してしまうためである。従って本発明の技術的課題は、流入口側の圧力が高圧であっても、排気を完了してから閉弁できる排気弁を提供することである。
【０００５】
【課題を解決するための手段】
上記の技術的課題を解決するために講じた本発明の技術的手段は、ケーシングで下部に流入口が開口し上部に流出口が開口した弁室を形成し、弁室と流出口の間に弁座を形成し、弁室内壁に内側に突出したリブを形成し、リブの内側に有底のほぼ円筒形状で底部に通孔を設けたフロート受けを配し、フロート受け内にフロートを自由状態で配し、フロート受けの位置を上下に調節する位置調節部材を設け、流入口側の圧力が高圧の場合にはフロート受けの位置を下方に調節し、流入口側の圧力が低圧の場合にはフロート受けの位置を上方に調節することを特徴とするものである。
【０００６】
【発明の実施の形態】
上記の本発明の技術的手段によれば、流入口側の圧力が高圧の場合には、フロート受けの位置を下方に調節することによって、フロートと弁座の間を大きくすることができるので、未だ排気を完了していないにもかかわらずフロートが弁座に吸い寄せられて着座閉弁してしまうことを防ぐことができる。流入口側の圧力が低圧の場合には、フロート受けの位置を上方に調節することによって、フロートと弁座の間を小さくすることができるので、排気完了後の閉弁遅れを防ぐことができる。
【０００７】
【実施例】
上記の技術的手段の具体例を示す実施例を説明する（図１参照）。本体１に蓋２をボルトで締結して内部に弁室３を有するケーシングを形成する。本体１の下部に流入口４を形成し、蓋２の上部に流出口５を形成する。蓋２に弁座６を間に挟んで取付部材７をネジで固定する。
【０００８】
本体１は弁室３の内壁に内側に突出した複数のリブ９を一体に有し、リブ９の内側に有底のほぼ円筒形状で底部から下方に雄ねじ形状の位置調節部材１３が一体に突出したフロート受け１０を配置する。フロート受け１０はその底部に内外を連通する通孔１１を有する。フロート受け１０内に球形のフロート１２を自由状態で配置する。
【０００９】
本体１は流入口４の内壁に複数のリブ１７を介した取付部材１８を一体に有する。取付部材１８にフロート受け１０の位置調節部材１３をねじ結合し、ロックナット１４で緩止めを行う。位置調節部材１３は下端にドライバー等の工具が嵌る切割り１５を有する。フロート受け１０の位置を上下に調節する場合は、ロックナット１４を緩めてドライバー等の工具で位置調節部材１３を回動し再びロックナット１４で緩止めを行う。
【００１０】
上記実施例の排気弁の動作は下記の通りである。先ず配管に水を送り込むときにはフロート１２は弁座６から離座して降下しフロート受け１０の底壁に載った開弁状態である。これにより、弁室３内に流入してくる配管内の空気をリブ９の間の空間からフロート受け１０上端を通して及び通孔１１からフロート受け１０内を通して流出口５に排気する。そして排気が終わって配管内の水が流入口４から弁室３内に流入してくると、リブ９の間の空間からフロート受け１０上端を通して及び通孔１１を通してフロート受け１０内に流入する水によってフロート１２が浮上して弁座６に着座し閉弁する。これにより、水の漏出を防止する。配管系の圧力が低下して真空状態となったときにはフロート１２が弁座６から離座して降下しフロート受け１０の底壁に載った開弁状態となる。これにより、弁室３内に流入してくる外部空気をフロート受け１０上端からリブ９の間の空間を通して及びフロート受け１０内から通孔１１を通して流入口４から配管内に導入することにより真空状態を破壊する。
【００１１】
流入口４側の圧力が高圧の場合には、フロート受け１０の位置を下方に調節してフロート受け１０の底壁に載るフロート１２の位置を下げることにより、フロート１２と弁座６の間を大きくすることができるので、未だ排気を完了していないにもかかわらずフロート１２が弁座６に吸い寄せられて着座閉弁してしまうことを防ぐことができる。流入口４側の圧力が低圧の場合には、フロート受け１０の位置を上方に調節してフロート受け１０の底壁に載るフロート１２の位置を上げることにより、フロート１２と弁座６の間を小さくすることができるので、排気完了後の閉弁遅れを防ぐことができる。
【００１２】
【発明の効果】
本発明は下記の特有の効果を生じる。
上記のように本発明による排気弁は、フロート受けの位置を上下に調節する位置調節部材を設けたものであるので、流入口側の圧力が高圧の場合には、フロート受けの位置を下方に調節してフロートと弁座の間を大きくすることにより、未だ排気を完了していないにもかかわらずフロートが弁座に吸い寄せられて着座閉弁してしまうことを防ぐことができ、流入口側の圧力が低圧の場合には、フロート受けの位置を上方に調節してフロートと弁座の間を小さくすることにより、排気完了後の閉弁遅れを防ぐことができるという優れた効果を生じる。
【図面の簡単な説明】
【図１】本発明の実施例の排気弁の断面図。
【符号の説明】
１  本体
２  蓋
３  弁室
４  流入口
５  流出口
６  弁座
９  リブ
１０  フロート受け
１１  通孔
１２  フロート
１３  位置調節部材
１４  ロックナット
１８  取付部材
【図１】
0004652637.tif 000002